(57)【要約】      （修正有）【課題】歩道工事等が行われている場所で、看板等を使用することなく、歩行者に注意を喚起するプロジェクタ装置を提供する。【解決手段】筒状の周壁、その前部を閉鎖する前部壁３、及びその後部を閉鎖する後部壁４からなるハウジングと、ハウジング内の後部に配設されてランプ３５を装着するソケット３４と、反射鏡３６と、スライドホルダ５０と、前後位置調整自在に配設されたホルダ支持部材５１と、その前方に固定配設された後部レンズ５８と、前部壁３に装着された前部レンズ４０とを有するプロジェクタ本体と、該プロジェクタ本体のハウジングを所定の揺動角度調整自在に支持する支持フレームとを備え、ホルダ支持部材５１に保持されたスライドの映像をランプ３５により照射し、その映像を路面に投影する。【選択図】図３
2008033071.tif 000002
【特許請求の範囲】
【請求項１】
筒状の周壁、その前部を閉鎖する前部壁、及びその後部を閉鎖する後部壁からなるハウジングと、ハウジング内の後部に配設されてランプを装着するソケットと、ランプの光を反射すべく配設された反射鏡と、ランプの前方に配設され、前後位置調整自在に配設されかつ前後方向に傾動可能なホルダ支持部材と、該ホルダ支持部材の前方に固定配設された後部レンズと、前部壁に装着された前部レンズとを有するプロジェクタ本体と、該プロジェクタ本体のハウジングを所定の揺動角度調整自在に支持する支持フレームとを備え、ホルダ支持部材に保持されたスライドの映像をランプにより照射し、その映像を路面に投影するようにしたことを特徴とする路面プロジェクタ装置。
【請求項２】
前記側壁は上部側壁及び下部側壁に上下に分割され、頂壁、上部側壁及び後部壁が一体とされて頂壁側半割体が形成され、底壁、前部壁及び下部側壁とが一体とされて底壁側半割体が形成され、頂壁側半割体と底壁側半割体とにより開放又は閉鎖可能な前記ハウジングが構成され、両半割体を係止する係止手段が設けられていることを特徴とする請求項１の路面プロジェクタ装置。
【発明の詳細な説明】
【技術分野】
【０００１】
本発明は、地面上に映像を投影するプロジェクタ装置に関し、より詳しくは車道や歩道等の路面上に映像を投影して、そのメッセージを歩行者などが認識し易いようにした路面プロジェクタ装置に関する。
【背景技術】
【０００２】
一般に道路工事箇所、特に歩道工事では工事看板が設置され、足もと注意などの安全喚起が図られている。しかし明るい昼間であればその看板を認識するのに問題ないが、夜間ではそのための照明装置を必要としていた。また、歩道工事のような狭い箇所だと工事看板自体が場所をとることになるが、更に照明装置などを設置することになった場合、充分な歩行エリアを確保することができず、ともすれば工事看板が歩行者の妨げになることもあった。
【０００３】
現在では注意喚起を促す看板も工夫を凝らし、歩行者の目に留まりやすいデザインが施されているが漠然と路面に設置されているだけなので、歩行者の安全喚起にどれほど有効であるか疑わしいものがある。特に夜間においての認識度はいっそう落ちることが容易に理解される。また上記のように看板自体が歩行の妨げになる場合がしばしば見受けられる。
【０００４】
また、特許文献１に示されるように、道路標識等の被照明表示体をランプを内蔵した投光器により照明して認識しやすくした外部照明装置が提案されているが、このような装置も被照明表示体に種々改良がなされた複雑な構造となっている。
【特許文献１】特開平８−２２７６０４号公報
【発明の開示】
【発明が解決しようとする課題】
【０００５】
本発明は、上記のような看板や被照明表示体を用いずに、また、その設置箇所に応じて照射角度及び照射焦点を好適に調節して、プロジェクタ(幻灯機)によりスライドの映像を路面に投影して、歩行者等に種々のメッセージを伝達し得るようにした路面プロジェクタ装置を提供することを目的とする。
【課題を解決するための手段】
【０００６】
本発明の路面プロジェクタ装置は、筒状の周壁２、その前部を閉鎖する前部壁３、及びその後部を閉鎖する後部壁４からなるハウジング５と、ハウジング５内の後部に配設されてランプ３５を装着するソケット３４と、ランプの光を反射すべく配設された反射鏡３６と、ランプの前方に配設され、前後位置調整自在に配設されかつ前後方向に傾動可能なホルダ支持部材５１と、該ホルダ支持部材５１の前方に固定配設された後部レンズ５８と、前部壁３に装着された前部レンズ４０とを有するプロジェクタ本体１と、該プロジェクタ本体１のハウジング５を所定の揺動角度調整自在に支持する支持フレーム７２とを備え、ホルダ支持部材５１に保持されたスライドの映像をランプ３５により照射し、その映像を路面に投影するようにしたことを特徴としている。
【０００７】
また、本発明の路面プロジェクタ装置は、側壁８は上部側壁８Ａ及び下部側壁８Ｂに上下に分割され、頂壁６、上部側壁８Ａ及び後部壁４が一体とされて頂壁側半割体が形成され、底壁７、前部壁３及び下部側壁８Ｂとが一体とされて底壁側半割体が形成され、頂壁側半割体と底壁側半割体とにより開放又は閉鎖可能な前記ハウジング５が構成され、両半割体を係止する係止手段７６、８６が設けられていることが好ましい。
【発明の効果】
【０００８】
本発明によれば、プロジェクタ装置は路上以外の場所に設置して映像を直接路面に投影するので、その設置場所の選択の自由度が大きく、また看板等のように路上歩行者や走行車の妨げとならず、路面を有効に活用することができる。
【０００９】
プロジェクタ本体を任意の場所に設置し、映像の投影方向を３次元で調節するとともに、焦点を調節することにより、路面に鮮明な映像を路面に投影することができ、歩行者等に映像のメッセージを的確に伝えることができる。
【００１０】
プロジェクタ装置のスライドを種々変えることにより投影されるデザインを自由に変更することができ、スライドを着色することにより映像を彩色することも可能である。
【００１１】
本発明のプロジェクタ装置は構造が簡単、製造容易であり、また、その設置や操作も容易である。そしてスライドで傾斜させることにより斜めに照射しても比較的に良好に焦点を合せてはっきりした映像を保つことができる。
【発明を実施するための最良の形態】
【００１２】
本発明の実施形態を図面を参照して説明する。
図１〜３において、１はプロジェクタ本体を示し、該プロジェクタ本体１は断面が四角形状の筒状周壁２及びその前部に配設された前部壁３、後部に配設された後部壁４からなるハウジング５を有し、該ハウジング内に密閉空間が形成される。  
【００１３】
筒状周壁２は板状部材で形成された頂壁６、底壁７、及び１対の側壁８を有し、筒状周壁２は本実施形態において断面長方形の角筒状に形成されている。そして図示の実施例では頂壁６と後部壁４とは側面から見てＬ字状の蓋体を構成し、着脱可能に取付けられている。
【００１４】
１対の側壁８は、上下に分割された上部側壁８Ａ及び下部側壁８Ｂから構成されており、頂壁６の下部に上部側壁８Ａが固定され、その後部に後部壁４が固定され、頂壁６、後部壁４、上部側壁８Ａは一体化されて頂壁側半割体を構成している。なお、３Ａは頂壁６の前端部に設けられた上部前部壁を示す。
【００１５】
また、底壁７の上部に前部壁３、下部側壁８Ｂが固定され、これらは一体化されて底壁側半割体を構成している。
【００１６】
符号１０は板状の後方支持部材で、後部壁４の前方に配設され、そのフランジ１１はビス１２により下部側壁８Ｂに固定されている。
【００１７】
後方支持部材１０の上方寄りに空所１３が形成され、該空所１３内に移動支持部材１４が光軸方向即ち前後方向に移動自在に配設されている。該支持部材１４は後部支持壁１５及び該支持壁１５と一体の筒状部１６からなり、全体としてカップ形状をなしている。筒状部１６は後部壁１０と一体で空所１３内に延びるガイド部１７に摺動自在にガイドされる。
【００１８】
後方支持部材１０の適所（例えば図３において上方）に、つまみ２０を有するランプ位置調節ねじ２１が回転自在に設けられ、該調節ねじ２１のねじ部２２に連係部材２３の一端部が螺合されている。
【００１９】
連係部材２３の他端部は、スペーサ２４に着座して、つまみ２５を有する固定ねじ２６のねじ部２７の螺合締付により、移動支持部材１４の後部支持壁１５に固定されている。したがって、調節ねじ２１を回転することにより、連係部材２３及び移動支持部材１４は一体となって光軸方向、即ち前後方向に移動される。
【００２０】
後部支持壁１５につまみ３０を有するランプ位置調節ねじ３１のねじナット３２により、ステイ３３が上下、左右の位置調節可能に固定されている。例えば後部支持壁１５に図示しない左右方向の長孔、ステイ３３に上下方向の長孔を設け、これらの長孔にねじ３２を挿通、固定することにより、ステイ３３を上下、左右に移動して、後記ソケット３４、ランプ３５の位置調節することができる。
【００２１】
該ステイ３３にソケット３４が固定され、該ソケット３４にランプ３５が装着される。ランプ３５からの照射光を反射する反射鏡３６はハウジング５内に配設され、好ましくはガイド部材４５に固定されている。
【００２２】
底壁７から頂壁６まで伸びる前部壁３に円形の空所が開設され、該円形の空所に前部レンズ４０が配設され、円板状の保持部材４１を前部壁３にビス４２により緊締することにより、前部レンズ４０は固定される。４３は円環状のパッキンを示す。
【００２３】
前記ランプ３５の中心と前部レンズ４０の中心を結ぶ線により光軸が形成される。
【００２４】
後方支持部材１０及び前部壁３に、光軸と平行に延びるガイド部材４５の後端部及び前端部がビス４６、４７によりそれぞれ固定されている。
【００２５】
ガイド部材４５上に、スライダ４８が摺動自在に載置され、該スライダ４８の上に、スライドホルダ５０を支持するホルダ支持部材５１が、スライダ４８にビス止め５２された保持板５３を介してスライダ４８に載置固定されている。スライドホルダ５０は摺動ガイド５４によりガイドされながら上方からホルダ支持部材５１の図示しない溝に挿入支持される。５５はあおり用長穴を示す。
このホルダ支持部材５１は傾斜した面に投影できるように前後方向に傾動できるようになっている。その構成は任意適宜の公知のものであり、あおり用長穴５５に図示しないねじ又はボルトを挿入してスライドを主軸に対して前後に傾けて固定するようになっている。
【００２６】
ホルダ支持部材５１の前方に同様のホルダ支持部材５６が必要に応じて配設され、該ホルダ支持部材５６には、カラーフィルターが装着される。
【００２７】
ホルダ支持部材５６の前方においてハウジング５内に後部レンズ５８が固定配設され、該後部レンズ５８はレンズ支持部材５７に保持部材５９、ビス６０により取付け、例えばガイド部材４５に固定される。
【００２８】
後方支持部材１０につまみ６１を有するピント調節ねじ６２が回動自在に設けられ、そのねじ６３は、スライダ４８の後部に連結されたスライド連係部材６４のナット６５に螺合している。
【００２９】
したがって、ピント調節ねじ６２を回動することにより、ねじ６３、ナット６５、連係部材６４を介して、スライダ４８は光軸に沿って前後方向に移動され、ホルダ支持部材５１が移動し、スライドを動かしてピント調節をする。
【００３０】
下部側壁８Ｂの側部にブラケット７０が固設されており、該ブラケット７０にボルト挿入孔７１を有する支持フレーム７２がピン７３により揺動自在に枢支されている。ハウジング２を支持する支持フレーム７２に弧状溝７４が形成され、角度調節ねじ７５が該弧状溝７４に挿通されてブラケット７０に螺合されている。
【００３１】
支持フレーム７２を所定角度回動して調節ねじ７５を回動、緊締することにより、支持フレーム７２とハウジング２の相対角度が調節される。垂直から３５度の傾斜線を中心として、４０度の範囲で揺動調節することが好ましい。
【００３２】
上部側壁８Ａと下部側壁８Ｂを互いに係止する係止手段７６は、その基板７７が下部側壁８Ｂに固定されている。該基板７７に操作レバー７９が鎖線７８で示す（図１）位置で枢支され、該操作レバー７９にスプリング８０を介装した引張部材８１の後端が枢支され、先端に係止ピン８２が設けられている。フック８３が上部側壁８Ａに固定されている。
【００３３】
上部側壁８Ａと下部側壁８Ｂを互いに当接して、係止ピン８２をフック８３に係合し、操作レバー７９を下部側壁８Ｂに向って回動し、引張部材８１の後端枢支点が死点を超えることにより、両側壁８Ａ、８Ｂは互いに係止される。操作レバー７９を反対方向に回動することにより、両側壁８Ａ、８Ｂの係止が解除される。
【００３４】
同様の係止手段８６が底壁７の後部下面に設けられており、該係止手段８６は操作レバー８７、スプリング８８、引張部材８９、係止ピン９０を有し、該係止ピン９０は、後部壁４の下端に設けられたフック９１に係止可能とされている。これにより、後部壁４と底壁７が互いに係脱自在とされている。
【００３５】
係止手段７６により上部側壁８Ａと下部側壁８Ｂを互いに係止し、係止手段８６により底壁７と後部壁４を互いに係止することにより、前記頂壁側半割体と底壁側半割体とは一体化されたハウジング２が形成され、また前記蓋体を取付けることにより内部のレンズその他の機器が風雨等から保護される。
係止手段７６、８６は上記構成のものに限らず、公知のものを利用することができる。
【００３６】
係止手段７６、係止手段８６を解除し、そして蓋体を取りはずす。前記両半割体を互いに離隔してハウジング２を開放することにより、ピント調節、ランプ位置調節や、内部の点検補修をすることができる。
【００３７】
９２はコード９３からの電気をランプ等に給電するための電源部を示し、９４は下蓋固定ねじを示す。
【００３８】
スライドホルダ５０に、図４に示されるスライド９５が保持され、該スライドには、例えば、「この先工事中」、「歩行者通路」、「足元注意」、「段差アリ」、「自転車徐行」、「協力アリガトウゴザイマス」の安全メッセージ標示等の映像が形成される。
【００３９】
図５にプロジェクタ本体１をポール９６に取り付ける使用するのに好適なポールアダプタ９７が示される。該ポールアダプタ９７は、一部切断して開放された環状のポール把持部９８及び該把持部９８から水平に延びる支持アーム９９を有し、ポール把持部９８によりポール９６を把持しその開放部をボルトナット１００により緊締することによりポール９６に固定される。
【００４０】
該支持アーム９９に穿設したボルト挿通孔１０１及び支持フレーム７２のボルト挿通孔７１に図示しないボルトナットを挿通螺合することにより、プロジェクタ本体１を支持フレーム７２、ポールアダプタ９７を介してポール９６に取り付け使用することができる。
【００４１】
その際、支持フレーム７２とポールアダプタ９７の相対回転により、プロジェクタ本体１の投影方向を略水平面内で３６０度回転調節することができ、また、支持フレーム７２とプロジェクタ本体１の相対回転により、略垂直面内で所定角度の位置調節することがで、結果として、プロジェクタ本体１の投影方向を三次元で所定範囲調節することができる。
【００４２】
図６に示されるように、プロジェクタ本体１からスライドの映像を歩道路面に投影して、歩行者等にメッセージを送ることができる。ポール９６は好ましくは、車輪１０２を有する台車１０３に載置し、所望の場所に移動可能とされている。
【００４３】
図７及び図８に、プロジェクタ本体１を駐車場等に水平に配設された横梁１１０に取付け使用する例が示され、そのために、横梁アダプタ１１１が利用される。横梁アダプタ１１１は横梁１００を把持する把持部１１２及び該把持部１１２から水平に延びる支持アーム１１３を有する。
【００４４】
該支持アーム１１３のボルト挿通孔１１４及び支持フレーム７２のボルト挿通孔７１にボルトナットを挿通螺合することにより、プロジェクタ本体１を支持フレーム７２、横梁アダプタ１１１を介して横梁１１０に取り付け使用することができる。その際垂下部１１５を図示しない支柱等に係合してアダプタ１１０の回動を阻止される。
【００４５】
上記実施形態において、歩行者の通過をセンサにより感知することにより、歩行者が居るときだけ投影させることができ、これにより特に夜間において歩行者により確実に注意喚起を呼び起こすことが可能である。
【００４６】
なお、本発明において、上記実施形態に限らず、ハウジングの周壁をその他の多角形状や円筒形状としたり、前部壁及び側壁を上下に分割せずに頂壁や後部壁を開閉自在としたりすることができる。
【図面の簡単な説明】
【００４７】
【図１】本発明の１実施形態に係るプロジェクタ装置の側面図。
【図２】図１のプロジェクタ装置の正面図。
【図３】図１のプロジェクタ装置の縦断面図。
【図４】図１のプロジェクタに装着されるスライドホルダを示す図。
【図５】本発明に係るプロジェクタ装置のポールアダプタの例を示す図。
【図６】本発明に係るプロジェクタ装置をポールに取り付けた例を示す図。
【図７】本発明に係るプロジェクタ装置の横梁アダプタの例を示す図。
【図８】本発明に係るプロジェクタ装置を横梁に取り付けた例を示す図。
【符号の説明】
【００４８】
１・・・プロジェクタ本体
２・・・筒状周壁
３・・・前部壁
４・・・後部壁
５・・・ハウジング
６・・・頂壁
７・・・底壁
８・・・側壁
１０・・・後方支持部材
２１・・・調節ねじ
３４・・・ソケット
３５・・・ランプ
３６・・・反射鏡
４０、５８・・・レンズ
５０・・・スライドホルダ
５１、５６・・・ホルダ支持部材
４８・・・スライダ
６２・・・ピント調節ねじ
７２・・・支持フレーム
７６、８６・・・係止手段
９７・・・ポールアダプタ
１１１・・・横梁アダプタ
【図１】
2008033071.tif 000003
【図２】
2008033071.tif 000004
【図３】
2008033071.tif 000005
【図４】
2008033071.tif 000006
【図５】
2008033071.tif 000007
【図６】
2008033071.tif 000008
【図７】
2008033071.tif 000009
【図８】
2008033071.tif 000010